(57)【要約】【課題】検査チップの大型化を抑制しつつ、液体を多段階で供給可能な検査チップ、検査システム、及び検査方法を提供する。【解決手段】液受部４１０は、液受部４１０及び供給部４２０が形成される仮想平面と平行に延びる方向であって、供給部４００の延びる左下方と交差して供給部４００から離れる下方向である。複数の供給流路５１０，５２０，５３０，５４０は、供給部４００が延びる左下方と交差する右上方に延び、且つ、互いに形成方向に対して異なる角度で設けられる。複数の供給流路５１０，５２０，５３０，５４０に含まれる少なくとも二つの供給流路は、仮想平面と直交する前後方向において互いに異なる位置に設けられる。【選択図】図４
2017032382.tif 000002
【特許請求の範囲】
【請求項１】
液体が予め定められた移動経路に沿って移動可能な検査チップであって、
前記液体が導入される領域である導入部と、
前記導入部よりも前記移動経路の下流側に設けられた流路であって、前記導入部に導入された前記液体が流入する第一流路と、
前記導入部よりも前記移動経路の下流側に設けられた領域であって、前記第一流路に流入した前記液体が供給される第一室と、
前記第一室に接続された流路であって、前記第一室に供給された前記液体が流入する複数の第二流路と、
前記第一室よりも前記移動経路の下流側に設けられた領域であって、前記複数の第二流路に流入した前記液体が供給される第二室と
を備え、
前記第一室は、前記第一室及び前記第二室が形成される仮想平面と平行に延びる方向であって、前記第一流路の延びる方向と交差して前記第一流路から離れる方向である形成方向に延び、
前記複数の第二流路は、前記第一流路が延びる方向と交差する方向に延び、且つ、互いに前記形成方向に対して異なる角度で設けられ、
前記複数の第二流路に含まれる少なくとも二つの前記第二流路は、前記仮想平面と直交する方向である特定方向において互いに異なる位置に設けられる
ことを特徴とする検査チップ。
【請求項２】
前記仮想平面が通る位置に設けられ、且つ前記仮想平面と平行に延びる基板を備え、
前記導入部、前記第一流路、前記第一室、前記複数の第二流路、及び前記第二室は、前記基板に設けられ、
前記基板は、前記基板における前記特定方向の両端部に設けられた第一面及び第二面を有し、
前記複数の第二流路は、前記第一面に設けられた少なくとも一つの前記第二流路と、前記第二面に設けられた少なくとも一つの前記第二流路とを含む
ことを特徴とする請求項１に記載の検査チップ。
【請求項３】
前記複数の第二流路は、各々の前記第二流路が前記第一室と接続する部位である複数の流入部を有し、
前記複数の流入部のうちで前記形成方向の上流側から起算して奇数番目にある前記流入部を有する前記第二流路は、前記第二面に設けられ、
前記複数の流入部のうちで前記形成方向の上流側から起算して偶数番目にある前記流入部を有する前記第二流路は、前記第一面に設けられる
ことを特徴とする請求項２に記載の検査チップ。
【請求項４】
前記複数の第二流路は、各々の前記第二流路が前記第一室と接続する端部である複数の流入部を有し、
前記複数の流入部のうちで前記形成方向の最下流側にある前記流入部である特定流入部は、前記複数の流入部のうちで公転方向の最下流側に設けられ
前記公転方向は、検査装置が前記検査チップから離隔した位置にある回転軸を中心として前記検査チップを回転させた場合に、前記検査チップが移動する方向である
ことを特徴とする請求項１から３の何れかに記載の検査チップ。
【請求項５】
前記複数の第二流路は、各々の前記第二流路が前記第一室と接続する部位である複数の流入部を有し、
前記複数の第二流路は、各々の前記流入部が前記複数の流入部のうちで前記形成方向の上流側にあるほど、前記形成方向に対して小さい分岐角度で延びる
ことを特徴とする請求項１から４の何れかに記載の検査チップ。
【請求項６】
前記複数の第二流路は、各々の前記第二流路が前記第二室と接続する端部である複数の流出部を有し、
前記複数の流出部は、前記複数の流出部のうちで前記形成方向の上流側にあるほど、遠心方向の上流側に設けられ、
前記遠心方向は、検査装置が前記検査チップから離隔した位置にある回転軸を中心として前記検査チップを回転させた場合に、前記検査チップに遠心力が作用する方向である
ことを特徴とする請求項１から５の何れかに記載の検査チップ。
【請求項７】
前記複数の第二流路は、各々の前記第二流路が前記第一室と接続する端部である複数の流入部と、各々の前記第二流路が前記第二室と接続する端部である複数の流出部とを有し、
前記複数の第二流路は、各々の前記流入部が前記複数の流入部のうちで前記形成方向の上流側にあるほど、前記仮想平面と平行に延び且つ前記形成方向と直交する方向において、各々の前記流入部と前記流出部との距離が大きい
ことを特徴とする請求項１から６の何れかに記載の検査チップ。
【請求項８】
前記第二室よりも前記移動経路の下流側に設けられた領域であって、抗原抗体反応のための抗体を保持した担体が保持される反応室を、更に備え、
前記液体は、前記担体を洗浄可能な洗浄液であり、
前記第一室は、前記第一流路から供給された前記洗浄液を、予め定められた液量に定量して貯留し、
前記第二室は、前記複数の第二流路から供給された前記洗浄液を貯留し、
前記反応室は、前記第二室から複数回に分けて前記洗浄液が供給される
ことを特徴とする請求項１から７の何れかに記載の検査チップ。
【請求項９】
前記複数の第二流路は、各々の前記第二流路が前記第二室と接続する端部である複数の流出部を有し、
前記複数の流出部は、前記洗浄液を定量及び貯留する前記第一室の定量端部よりも、前記形成方向の上流側にある
ことを特徴とする請求項８に記載の検査チップ。
【請求項１０】
前記複数の第二流路は、互いに等しい容積であることを特徴とする請求項１〜９の何れかに記載の検査チップ。
【請求項１１】
前記複数の第二流路は、各々の前記第二流路が前記第一室と接続する端部である複数の流入部を有し、
前記複数の第二流路は、各々の前記流入部が前記複数の流入部のうちで前記形成方向の上流側にあるほど、容積が小さい
ことを特徴とする請求項１〜９の何れかに記載の検査チップ。
【請求項１２】
前記複数の第二流路は、各々の前記第二流路が前記第一室と接続する端部である複数の流入部を有し、
前記複数の第二流路は、各々の前記流入部が前記複数の流入部のうちで前記形成方向の上流側にあるほど、容積が大きい
ことを特徴とする請求項１〜９の何れかに記載の検査チップ。
【請求項１３】
前記第一室を形成する壁面は、前記仮想平面と交差する方向に延び、且つ前記特定方向に対して傾斜するテーパ状の壁面を含むことを特徴とする請求項１〜１２の何れかに記載の検査チップ。
【請求項１４】
液体が予め定められた移動経路に沿って移動可能な検査チップと、前記検査チップを所定の第一軸を中心に回転させることにより前記検査チップに遠心力を作用させ、且つ、前記第一軸とは異なる第二軸を中心に前記検査チップを回転させることにより前記遠心力の方向を変化させる検査装置とを含む検査システムであって、
前記検査チップは、
前記液体が導入される領域である導入部と、
前記導入部よりも前記移動経路の下流側に設けられた流路であって、前記導入部に導入された前記液体が流入する第一流路と、
前記導入部よりも前記移動経路の下流側に設けられた領域であって、前記第一流路に流入した前記液体が供給される第一室と、
前記第一室に接続された流路であって、前記第一室に供給された前記液体が流入する複数の第二流路と、
前記第一室よりも前記移動経路の下流側に設けられた領域であって、前記複数の第二流路に流入した前記液体が供給される第二室と
を備え、
前記第一室は、前記第一室及び前記第二室が形成される仮想平面と平行に延びる方向であって、前記第一流路の延びる方向と交差して前記第一流路から離れる方向である形成方向に延び、
前記複数の第二流路は、前記第一流路が延びる方向と交差する方向に延び、且つ、互いに前記形成方向に対して異なる角度で設けられ、
前記複数の第二流路に含まれる少なくとも二つの前記第二流路は、前記仮想平面と直交する方向である特定方向において互いに異なる位置に設けられ、
前記検査装置は、
前記形成方向と交差し且つ前記仮想平面と平行な方向に作用する前記遠心力を、前記検査チップに付与することによって、前記複数の第二流路の何れかを介して前記液体を前記第一室から前記第二室に移動させる第一動作を複数回実行可能な第一作用手段と、
前記複数回の第一動作の何れかが実行された後、前記形成方向と平行に作用する前記遠心力を前記検査チップに付与することによって、前記液体を前記第二室から前記移動経路の下流側に移動させる第二動作を実行可能な第二作用手段と
を備え、
前記第一作用手段は、前記複数回の第一動作の各々において、前記複数の第二流路のうちで互いに異なる前記第二流路を介して、前記液体を前記第一室から前記第二室に移動させる方向に作用する前記遠心力を、前記検査チップに付与する
ことを特徴とする検査システム。
【請求項１５】
液体が予め定められた移動経路に沿って移動可能な検査チップを用いた検査方法であって、
前記検査チップは、
前記液体が導入される領域である導入部と、
前記導入部よりも前記移動経路の下流側に設けられた流路であって、前記導入部に導入された前記液体が流入する第一流路と、
前記導入部よりも前記移動経路の下流側に設けられた領域であって、前記第一流路に流入した前記液体が供給される第一室と、
前記第一室に接続された流路であって、前記第一室に供給された前記液体が流入する複数の第二流路と、
前記第一室よりも前記移動経路の下流側に設けられた領域であって、前記複数の第二流路に流入した前記液体が供給される第二室と
を備え、
前記第一室は、前記第一室及び前記第二室が形成される仮想平面と平行に延びる方向であって、前記第一流路の延びる方向と交差して前記第一流路から離れる方向である形成方向に延び、
前記複数の第二流路は、前記第一流路が延びる方向と交差する方向に延び、且つ、互いに前記形成方向に対して異なる角度で設けられ、
前記複数の第二流路に含まれる少なくとも二つの前記第二流路は、前記仮想平面と直交する方向である特定方向において互いに異なる位置に設けられ、
前記検査方法は、
前記形成方向と交差し且つ前記仮想平面と平行な方向に作用する遠心力を、前記検査チップに付与することによって、前記複数の第二流路の何れかを介して前記液体を前記第一室から前記第二室に移動させる第一動作を複数回実行可能な第一ステップと、
前記複数回の第一動作の何れかが実行された後、前記形成方向と平行に作用する遠心力を前記検査チップに付与することによって、前記液体を前記第二室から前記移動経路の下流側に移動させる第二動作を実行可能な第二ステップと
を備え、
前記第一ステップは、前記複数回の第一動作の各々において、前記複数の第二流路のうちで互いに異なる前記第二流路を介して、前記液体を前記第一室から前記第二室に移動させる方向に作用する遠心力を、前記検査チップに付与する
ことを特徴とする検査方法。
【発明の詳細な説明】
【技術分野】
【０００１】
本発明は、抗原抗体反応のための抗体を保持した担体を多段階洗浄することが可能な検査チップ、検査システム、及び検査方法に関する。
【背景技術】
【０００２】
従来、抗原抗体反応のための抗体を保持した担体を備える検査チップが知られている。例えば、特許文献１に記載の分析チップは、複数の槽と、複数の槽の相互間を接続する微細流路とを備える流体回路を備えている。分析チップに遠心力が作用することにより、検体、試薬、及び洗浄液などの液体が流体回路内を移動する。分析チップを用いた検査工程には、抗原抗体反応のための抗体を保持した担体であるビーズを多段階洗浄する工程が含まれる。複数の槽のうちの第７槽には、ビーズが配置され、第１槽には、洗浄液が配置される。第１槽から第７槽に至る経路には、バッファ槽となる第２槽、第３槽、第９槽、及び第１０槽が設けられている。分析チップに遠心力が作用すると、洗浄液はバッファ槽を連続的に通過し、ビーズを保持する第７槽に供給される。このため、ビーズが洗浄される。分析チップへの遠心力の作用が停止されると、バッファ槽によって洗浄液が分断される。即ち、第７槽内のビーズの多段階洗浄は、遠心力の作用、及び作用の停止が繰り返し行われることで実行される。
【先行技術文献】
【特許文献】
【０００３】
【特許文献１】特開２０１３−５０４３５号公報
【発明の概要】
【発明が解決しようとする課題】
【０００４】
従来の分析チップは、ビーズの洗浄回数が増加するほど、バッファ槽の数量を増加させる必要がある。バッファ槽の数量が増加すると、分析チップが大型化する可能性がある。換言すると、従来の分析チップでは、例えば洗浄液のような液体を多段階で供給する場合に、分析チップが大型化する可能性がある。
【０００５】
本発明の目的は、検査チップの大型化を抑制しつつ、液体を多段階で供給可能な検査チップ、検査システム、及び検査方法を提供することである。
【課題を解決するための手段】
【０００６】
本発明の第一態様に係る検査チップは、液体が予め定められた移動経路に沿って移動可能な検査チップであって、前記液体が導入される領域である導入部と、前記導入部よりも前記移動経路の下流側に設けられた流路であって、前記導入部に導入された前記液体が流入する第一流路と、前記導入部よりも前記移動経路の下流側に設けられた領域であって、前記第一流路に流入した前記液体が供給される第一室と、前記第一室に接続された流路であって、前記第一室に供給された前記液体が流入する複数の第二流路と、前記第一室よりも前記移動経路の下流側に設けられた領域であって、前記複数の第二流路に流入した前記液体が供給される第二室とを備え、前記第一室は、前記第一室及び前記第二室が形成される仮想平面と平行に延びる方向であって、前記第一流路の延びる方向と交差して前記第一流路から離れる方向である形成方向に延び、前記複数の第二流路は、前記第一流路が延びる方向と交差する方向に延び、且つ、互いに前記形成方向に対して異なる角度で設けられ、前記複数の第二流路に含まれる少なくとも二つの前記第二流路は、前記仮想平面と直交する方向である特定方向において互いに異なる位置に設けられることを特徴とする。
【０００７】
これによれば、本態様の検査チップに付与される外力の方向を調整することで、第一室に流入した液体を、複数の第二流路を介して第二室へ多段階に供給できる。検査チップは、複数の第二流路に含まれる少なくとも二つの供給流路を特定方向に重ねて配置できるため、第二流路の数量を増加させても検査チップの大型化を抑制できる。従って、本態様の検査チップは、その大型化を抑制しつつ、液体を多段階で供給可能である。
【０００８】
本発明の第二態様に係る検査システムは、液体が予め定められた移動経路に沿って移動可能な検査チップと、前記検査チップを所定の第一軸を中心に回転させることにより前記検査チップに遠心力を作用させ、且つ、前記第一軸とは異なる第二軸を中心に前記検査チップを回転させることにより前記遠心力の方向を変化させる検査装置とを含む検査システムであって、前記検査チップは、前記液体が導入される領域である導入部と、前記導入部よりも前記移動経路の下流側に設けられた流路であって、前記導入部に導入された前記液体が流入する第一流路と、前記導入部よりも前記移動経路の下流側に設けられた領域であって、前記第一流路に流入した前記液体が供給される第一室と、前記第一室に接続された流路であって、前記第一室に供給された前記液体が流入する複数の第二流路と、前記第一室よりも前記移動経路の下流側に設けられた領域であって、前記複数の第二流路に流入した前記液体が供給される第二室とを備え、前記第一室は、前記第一室及び前記第二室が形成される仮想平面と平行に延びる方向であって、前記第一流路の延びる方向と交差して前記第一流路から離れる方向である形成方向に延び、前記複数の第二流路は、前記第一流路が延びる方向と交差する方向に延び、且つ、互いに前記形成方向に対して異なる角度で設けられ、前記複数の第二流路に含まれる少なくとも二つの前記第二流路は、前記仮想平面と直交する方向である特定方向において互いに異なる位置に設けられ、前記検査装置は、前記形成方向と交差し且つ前記仮想平面と平行な方向に作用する前記遠心力を、前記検査チップに付与することによって、前記複数の第二流路の何れかを介して前記液体を前記第一室から前記第二室に移動させる第一動作を複数回実行可能な第一作用手段と、前記複数回の第一動作の何れかが実行された後、前記形成方向と平行に作用する前記遠心力を前記検査チップに付与することによって、前記液体を前記第二室から前記移動経路の下流側に移動させる第二動作を実行可能な第二作用手段とを備え、前記第一作用手段は、前記複数回の第一動作の各々において、前記複数の第二流路のうちで互いに異なる前記第二流路を介して、前記液体を前記第一室から前記第二室に移動させる方向に作用する前記遠心力を、前記検査チップに付与することを特徴とする。
【０００９】
これによれば、複数回の第一動作によって、第一室に流入した液体を、複数の第二流路を介して第二室へ多段階に供給できる。第一動作後に実行される第二動作によって、液体を第一室から移動経路の下流側へ多段階に供給できる。検査チップは、複数の第二流路に含まれる少なくとも二つの供給流路を特定方向に重ねて配置できるため、第二流路の数量を増加させても検査チップの大型化を抑制できる。従って、本態様の検査システムは、検査チップの大型化を抑制しつつ、液体を多段階で供給可能である。
【００１０】
本発明の第三態様に係る検査方法は、液体が予め定められた移動経路に沿って移動可能な検査チップを用いた検査方法であって、前記検査チップは、前記液体が導入される領域である導入部と、前記導入部よりも前記移動経路の下流側に設けられた流路であって、前記導入部に導入された前記液体が流入する第一流路と、前記導入部よりも前記移動経路の下流側に設けられた領域であって、前記第一流路に流入した前記液体が供給される第一室と、前記第一室に接続された流路であって、前記第一室に供給された前記液体が流入する複数の第二流路と、前記第一室よりも前記移動経路の下流側に設けられた領域であって、前記複数の第二流路に流入した前記液体が供給される第二室とを備え、前記第一室は、前記第一室及び前記第二室が形成される仮想平面と平行に延びる方向であって、前記第一流路の延びる方向と交差して前記第一流路から離れる方向である形成方向に延び、前記複数の第二流路は、前記第一流路が延びる方向と交差する方向に延び、且つ、互いに前記形成方向に対して異なる角度で設けられ、前記複数の第二流路に含まれる少なくとも二つの前記第二流路は、前記仮想平面と直交する方向である特定方向において互いに異なる位置に設けられ、前記検査方法は、前記形成方向と交差し且つ前記仮想平面と平行な方向に作用する遠心力を、前記検査チップに付与することによって、前記複数の第二流路の何れかを介して前記液体を前記第一室から前記第二室に移動させる第一動作を複数回実行可能な第一ステップと、前記複数回の第一動作の何れかが実行された後、前記形成方向と平行に作用する遠心力を前記検査チップに付与することによって、前記液体を前記第二室から前記移動経路の下流側に移動させる第二動作を実行可能な第二ステップとを備え、前記第一ステップは、前記複数回の第一動作の各々において、前記複数の第二流路のうちで互いに異なる前記第二流路を介して、前記液体を前記第一室から前記第二室に移動させる方向に作用する遠心力を、前記検査チップに付与することを特徴とする。
【００１１】
これによれば、複数回の第一動作によって、第一室に流入した液体を、複数の第二流路を介して第二室へ多段階に供給できる。第一動作後に実行される第二動作によって、液体を第一室から移動経路の下流側へ多段階に供給できる。検査チップは、複数の第二流路に含まれる少なくとも二つの供給流路を特定方向に重ねて配置できるため、第二流路の数量を増加させても検査チップの大型化を抑制できる。従って、本態様の検査方法は、検査チップの大型化を抑制しつつ、液体を多段階で供給可能である。
【図面の簡単な説明】
【００１２】
【図１】検査装置１及び制御装置９０を含む検査システム３の構成を示す図である。
【図２】検査チップ２の正面図である。
【図３】検査チップ２の背面図である。
【図４】接続部５００周辺の正面図である。
【図５】接続部５００周辺の背面図である。
【図６】図２及び図３のα−α線矢視方向断面図である。
【図７】遠心処理のフローチャートである。
【図８】遠心処理における検査チップ２の状態遷移図である。
【図９】図８から続く状態遷移図である。
【図１０】図９から続く状態遷移図である。
【図１１】図１０から続く状態遷移図である。
【図１２】図１１から続く状態遷移図である。
【図１３】一回目の第一動作における、接続部５００周辺の背面図である。
【図１４】二回目の第一動作における、接続部５００周辺の正面図である。
【図１５】三回目の第一動作における、接続部５００周辺の背面図である。
【発明を実施するための形態】
【００１３】
本発明の一実施形態を説明する。図１は、検査システム３を構成する検査装置１の平面及び制御装置９０の内部の機能ブロックを示す。
【００１４】
＜１．検査システム３の概略構造＞
図１を参照して、検査システム３の概略構造を説明する。本実施形態の検査システム３は、液体である試薬を収容可能な検査チップ２と、検査チップ２を用いて検査を行う検査装置１とを含む。検査装置１が検査チップ２から離間した垂直軸線Ａ１を中心として検査チップ２を回転させると、遠心力が検査チップ２に作用する。検査装置１が水平軸線Ａ２を中心に検査チップ２を回転させると、検査チップ２に作用する遠心力の方向である遠心方向が切り替えられる。本実施形態の検査システム３及び検査装置１は、特開２０１２−７８１０７号公報に記載されているように周知の構造であるので、以下の説明では、検査装置１の構造を概略的に説明する。
【００１５】
＜２．検査装置１の構造＞
図１を参照して、検査装置１の構造を説明する。以下の説明では、図１の上方、下方、右方、左方、紙面手前側、及び紙面奥側を、夫々、検査装置１の前方、後方、右方、左方、上方、及び下方とする。本実施形態では、垂直軸線Ａ１の方向は検査装置１の上下方向であり、水平軸線Ａ２の方向は、検査チップ２が垂直軸線Ａ１を中心として回転される際の速度の方向である。図１は検査装置１の上部筐体３０の天板が取り除かれた状態を示す。
【００１６】
図１に示すように、検査装置１は、上部筐体３０、下部筐体２９、上板３２、ターンテーブル３３、角度変更機構３４、及び制御装置９０を備える。ターンテーブル３３は、後述する上板３２の上側に回転可能に設けられた円盤である。検査チップ２は、ターンテーブル３３の上方に保持される。角度変更機構３４は、ターンテーブル３３に設けられた駆動機構である。この角度変更機構３４は、水平軸線Ａ２を中心に検査チップ２を各々回転させる。上部筐体３０は、後述する上板３２に固定されており、検査チップ２に対して光学測定を行う測定部７が内部に設けられている。制御装置９０は、検査装置１の各種処理を制御するコントローラである。
【００１７】
下部筐体２９の概略構造を説明する。下部筐体２９は、枠部材を組み合わせた箱状のフレーム構造を有する。下部筐体２９の上面には、長方形の板材である上板３２が設けられている。下部筐体２９の内部には、垂直軸線Ａ１を中心にターンテーブル３３を回転させる駆動機構が、次のように設けられている。
【００１８】
下部筐体２９内の左方寄りに、ターンテーブル３３を回転させるための駆動力を供給する主軸モータ３５が設置されている。主軸モータ３５の軸３６は、上方に突出しており、プーリ３７が固定されている。下部筐体２９の中央部には、下部筐体２９の内部から上方に延びる垂直な主軸５７が設けられている。主軸５７は、上板３２を貫通して、下部筐体２９の上側に突出している。主軸５７の上端部は、ターンテーブル３３の中央部に接続されている。
【００１９】
主軸５７は、上板３２の直下に設けられた図示しない支持部材により、回転自在に保持されている。支持部材の下側では、主軸５７にプーリ３８が固定されている。プーリ３７とプーリ３８とに亘って、ベルト３９が掛け渡されている。主軸モータ３５が軸３６を回転させると、プーリ３７、ベルト３９、及びプーリ３８を介して駆動力が主軸５７に伝達される。このとき、主軸５７の回転に連動して、ターンテーブル３３が主軸５７を中心に回転する。
【００２０】
下部筐体２９内の右方寄りに、下部筐体２９の内部において上下方向に延びる図示しないガイドレールが設けられている。図示しないＴ型プレートは、ガイドレールに沿って下部筐体２９内において上下方向に移動可能である。
【００２１】
先述の主軸５７は、内部が中空の筒状体である。図示しない内軸は、主軸５７の内部において上下方向に移動可能な軸である。内軸の上端部は、主軸５７内を貫通してラックギア４３に接続されている。Ｔ型プレートの左端部には、図示しない軸受が設けられている。軸受の内部では、内軸の下端部が回転自在に保持される。
【００２２】
Ｔ型プレートの前方には、Ｔ型プレートを上下動させるためのステッピングモータ５１が固定されている。ステッピングモータ５１の軸５８は後方、すなわち図１では下方側に向けて突出している。軸５８の先端には、図示しない円盤状のカム板が固定されている。カム板の後側の面には、図示しない円柱状の突起が設けられている。突起の先端部は、図示しない溝部に挿入されている。突起は、溝部内を摺動可能である。ステッピングモータ５１が軸５８を回転させると、カム板の回転に連動して突起が上下動する。このとき、溝部に挿入されている突起に連動して、Ｔ型プレートがガイドレールに沿って上下動する。
【００２３】
角度変更機構３４の詳細構造を説明する。角度変更機構３４は、ターンテーブル３３の上面に固定された一対のＬ型プレート６０を有する。各Ｌ型プレート６０は、ターンテーブル３３の中心近傍に固定された基部から上方に延び、且つ、その上端部がターンテーブル３３の径方向外側に向けて延びている。一対のＬ型プレート６０の間には、内軸に固定された図示しないラックギア４３が設けられている。ラックギア４３は、上下方向に長い金属製の板状部材であり、両端面にギアが各々刻まれている。
【００２４】
各Ｌ型プレート６０の延設方向の先端側では、ギア４５を有する水平な支軸４６が回転自在に軸支されている。支軸４６は図示外の装着用ホルダを介して検査チップ２に固定されている。このため、ギア４５の回転に連動して検査チップ２も支軸４６を中心に回転する。ギア４５とラックギア４３との間には、Ｌ型プレート６０により図示略の水平軸線を中心に回転自在に支持されたピニオンギア４４が介在している。ピニオンギア４４は、ギア４５及びラックギア４３に夫々噛合している。ラックギア４３の上下動に連動して、ピニオンギア４４、及びギア４５が夫々従動回転し、ひいては検査チップ２が支軸４６を中心に回転する。
【００２５】
本実施形態では、主軸モータ３５がターンテーブル３３を回転駆動するのに伴って、検査チップ２が垂直軸である主軸５７を中心に回転して、検査チップ２に遠心力が作用される。検査チップ２の垂直軸線Ａ１を中心とした回転を、公転と呼ぶ。一方、ステッピングモータ５１が内軸を上下動させるのに伴って、検査チップ２が水平軸である支軸４６を中心に回転して、検査チップ２に作用する遠心力の方向が相対変化する。検査チップ２の水平軸線Ａ２を中心とした回転を、自転と呼ぶ。
【００２６】
Ｔ型プレートが可動範囲の最下端まで下降した状態では、ラックギア４３も可動範囲の最下端まで下降する。このとき、検査チップ２は、自転角度が０度の定常状態になる。また、Ｔ型プレートが可動範囲の最上端まで上昇した状態では、ラックギア４３も可動範囲の最上端まで上昇する。このとき、検査チップ２は、定常状態から水平軸線Ａ２を中心に１８０度回転した状態になる。つまり、本実施形態では検査チップ２が自転可能な角度幅は、自転角度０度〜１８０度である。
【００２７】
上部筐体３０の詳細構造を説明する。図１に示すように、上部筐体３０は、枠部材を組み合わせた箱状のフレーム構造を有し、上板３２の左部上側に設置されている。より詳細には、上部筐体３０は、ターンテーブル３３の回転中心にある主軸５７からみて、検査チップ２が回転される範囲の外側に設けられている。
【００２８】
上部筐体３０の内部に設けられた測定部７は、測定光を発光する光源７１と、光源７１から発せられた測定光を検出する光センサ７２とを有する。光源７１及び光センサ７２は、検査チップ２の回転範囲の外側において、ターンテーブル３３の前後両側に配置されている。本実施形態では、検査チップ２の公転可能範囲のうちで主軸５７の左側位置が、検査チップ２に測定光が照射される測定位置である。検査チップ２が測定位置にある場合、光源７１と光センサ７２とを結ぶ測定光が、検査チップ２の前面及び後面に対して略垂直に交差する。
【００２９】
＜３．制御装置９０の電気的構成＞
図１を参照して、制御装置９０の電気的構成を説明する。制御装置９０は、検査装置１の主制御を司るＣＰＵ１０１と、各種データを一時的に記憶するＲＡＭ１０２と、制御プログラムを記憶したＲＯＭ１０３とを有する。ＣＰＵ１０１には、ユーザが制御装置９０に対する指示を入力するための操作部１０４と、各種データ、及びプログラムを記憶するハードディスク装置１０５と、各種情報を表示するディスプレイ１０６とが接続されている。制御装置９０としては、パーソナルコンピュータを用いてもよいし、専用の制御装置を用いてもよい。
【００３０】
さらに、ＣＰＵ１０１には、公転コントローラ９７、自転コントローラ９８、及び測定コントローラ９９が接続されている。公転コントローラ９７は、主軸モータ３５を回転駆動させる制御信号を主軸モータ３５に送信することによって、検査チップ２の公転を制御する。自転コントローラ９８は、ステッピングモータ５１を回転駆動させる制御信号をステッピングモータ５１に送信することによって、検査チップ２の自転を制御する。測定コントローラ９９は、測定部７を駆動することによって、検査チップ２の光学測定を実行する。詳細には、測定コントローラ９９は、光源７１の発光、及び光センサ７２の光検出を実行させる制御信号を、光源７１及び光センサ７２に送信する。ＣＰＵ１０１は公転コントローラ９７、自転コントローラ９８及び測定コントローラ９９を制御する。
【００３１】
＜４．検査チップ２の構造＞
図２〜図６を参照して、本実施形態に係る検査チップ２の詳細構造を説明する。以下の説明では、図２の上方、下方、左方、右方、紙面手前側、及び紙面奥側を、それぞれ、検査チップ２の上方、下方、左方、右方、前方、及び後方とする。前後方向は、検査チップ２の厚み方向に対応する。本実施形態では、検査チップ２が使用され、ＥＬＩＳＡ法によって検査が行われる。ＥＬＩＳＡは、Ｅｎｚｙｍｅ−ｌｉｎｋｅｄ  ｉｍｍｕｎｏｓｏｒｂｅｎｔ  ａｓｓａｙの略である。
【００３２】
検査チップ２の物理的構造を説明する。図２及び図３に示すように、検査チップ２は、正面視で上辺部８１、下辺部８４、右辺部８２、及び左辺部８３を有する、上下方向に長い長方形状である。検査チップ２は、所定の厚みを有する透明な合成樹脂の板材１９を主体とする。板材１９は、上下方向及び左右方向に延び、且つ上下方向に長い板状である。板材１９は、前面である第一面２０３と、第一面２０３の反対側の後面である第二面２０４とを有する。
【００３３】
図２及び図３に示すように、第一面２０３及び第二面２０４は、それぞれ透明の合成樹脂の薄板から構成されたシート２９１，２９２によって封止されている。シート２９１，２９２と板材１９との間には、検査チップ２に封入された液体が流動可能な液体流路２５が形成されている。検査チップ２に封入された液体は、液体流路２５に沿って予め定められた移動経路（以下、液体移動経路という。）を流動可能である。
【００３４】
液体流路２５は、反応停止液注入部３１０、供給部３２０、基質溶液注入部３３０、供給部３４０、洗浄液注入部３５０、供給部３６０、標識抗体液注入部３７０、供給部３８０、検査液体注入部３９０、供給部４００、液受部４１０、供給部４２０、余剰部４３０、接続部５００、ビーズ保持部６００、供給部４４０、測定部４５０、廃液部４６０等を含む。液体流路２５は、接続部５００、ビーズ保持部６００、及び測定部４５０を除いて、板材１９を前後方向に貫通し、且つ前後方向と直交する方向に延びる。反応停止液注入部３１０、基質溶液注入部３３０、洗浄液注入部３５０、標識抗体液注入部３７０、検査液体注入部３９０、液受部４１０、余剰部４３０、ビーズ保持部６００、測定部４５０、及び廃液部４６０は、何れも下向きに延びる凹部である。
【００３５】
反応停止液注入部３１０は、液体移動経路の最上流側に設けられ、本実施形態では検査チップ２の左上部に設けられる。反応停止液注入部３１０は、上方に開口して下方に延びる凹部であり、且つ後述の反応停止液９１が導入される領域である。供給部３２０は、反応停止液注入部３１０の右上部分から右側に繋がり、且つ左下方に延びる流路である。供給部３２０の左下部は、基質溶液注入部３３０に繋がる。
【００３６】
基質溶液注入部３３０は、反応停止液注入部３１０よりも液体移動経路の下流側に設けられ、本実施形態では反応停止液注入部３１０の下側に設けられる。基質溶液注入部３３０は、上方に開口して下方に延びる凹部であり、且つ後述の基質溶液９２が導入される領域である。供給部３４０は、基質溶液注入部３３０の右上部分から右側に繋がり、且つ左下方に延びる流路である。供給部３４０の左下部は、洗浄液注入部３５０に繋がる。
【００３７】
洗浄液注入部３５０は、基質溶液注入部３３０よりも液体移動経路の下流側に設けられ、本実施形態では基質溶液注入部３３０の下側に設けられる。洗浄液注入部３５０は、上方に開口して下方に延びる凹部であり、且つ後述の洗浄液９３が導入される領域である。供給部３６０は、洗浄液注入部３５０の右上部分から右側に繋がり、且つ左下方に延びる流路である。供給部３６０の左下部は、標識抗体液注入部３７０に繋がる。
【００３８】
標識抗体液注入部３７０は、洗浄液注入部３５０よりも液体移動経路の下流側に設けられ、本実施形態では洗浄液注入部３５０の下側に設けられる。標識抗体液注入部３７０は、上方に開口して下方に延びる凹部であり、且つ後述の標識抗体液９４が導入される領域である。供給部３８０は、標識抗体液注入部３７０の右上部分から右側に繋がり、且つ左下方に延びる流路である。供給部３８０の左下部は、検査液体注入部３９０に繋がる。標識抗体液注入部３７０を形成する面のうち、供給部３８０に向かって右上方に延びる面は、形成面３７１である。
【００３９】
検査液体注入部３９０は、標識抗体液注入部３７０よりも液体移動経路の下流側に設けられ、本実施形態では標識抗体液注入部３７０の下側に設けられる。検査液体注入部３９０は、上方に開口して下方に延びる凹部であり、且つ後述の検査液体９５が導入される領域である。供給部４００は、検査液体注入部３９０の右上部分から右側に繋がり、且つ左下方に延びる流路である。供給部４００の左下部は、液受部４１０に繋がる。検査液体注入部３９０を形成する面のうち、供給部４００に向かって右上方に延びる面は、形成面３９１である。供給部４００を形成する面のうち、液受部４１０に向かって左下方に延びる面は、第一案内面４０１である。
【００４０】
液受部４１０は、検査液体注入部３９０よりも液体移動経路の下流側に設けられ、本実施形態では検査液体注入部３９０の下側に設けられる。液受部４１０は、上方に開口して右下方に延びる凹部であり、且つ各種液体が流入する領域である。接続部５００は、液受部４１０から右上方に延びる複数の流路である。接続部５００の右上部は、供給部４２０に繋がる。液受部４１０及び接続部５００の詳細は後述する。
【００４１】
供給部４２０は、接続部５００から右側に繋がり、且つ下方に延びる流路である。供給部４２０の下部は、ビーズ保持部６００に繋がる。余剰部４３０は、液受部４１０を挟んで接続部５００とは反対側に設けられ、本実施形態では液受部４１０の左側に設けられる。余剰部４３０は、上方に開口して下方に延びる凹部であり、且つ液受部４１０から溢れた余剰の液体が貯留される領域である。液受部４１０の左上部から余剰部４３０に向かって左下方に延びる面は、第二案内面４３１である。
【００４２】
ビーズ保持部６００は、液受部４１０よりも液体移動経路の下流側に設けられ、本実施形態では液受部４１０の右側に設けられる。ビーズ保持部６００は、第一面２０３から後方に向けて凹み、且つ上方に開口して下方に延びる凹部である。即ちビーズ保持部６００は、板材１９の第一面２０３側にのみ設けられている（図２参照）。ビーズ保持部６００は、複数の磁性ビーズ９６が保持される領域である。供給部４４０は、ビーズ保持部６００の右上部から右側に繋がり、且つ左下方に延びる流路である。供給部４４０の左下部は、測定部４５０に繋がる。ビーズ保持部６００を形成する面のうち、供給部４４０に向かって右上方に延びる面は、取出面６０１である。
【００４３】
磁性ビーズ９６は、抗原抗体反応のための抗体を保持した担体である。本実施形態の磁性ビーズ９６は、その表面に抗体が固相化された球状である。ビーズ保持部６００の後側には、円柱形状の磁石６９０が設けられる（図３参照）。磁石６９０は、第二面２０４に形成された凹部に嵌め込まれた状態で、シート２９２によって封止される。即ち、ビーズ保持部６００及び磁石６９０は、板材１９を挟んで前後方向に並ぶ。複数の磁性ビーズ９６は、磁石６９０に引き付けられることによって、ビーズ保持部６００内に保持される。
【００４４】
測定部４５０は、ビーズ保持部６００よりも液体移動経路の下流側に設けられ、本実施形態ではビーズ保持部６００の下側に設けられる。測定部４５０は、第一面２０３から後方に向けて凹み、且つ上方に開口して下方に延びる凹部である。即ち測定部４５０は、板材１９の第一面２０３側にのみ設けられている（図２参照）。後述する光学測定が行われる際には、測定部４５０に測定光が透過される。
【００４５】
廃液部４６０は、測定部４５０よりも液体移動経路の下流側に設けられる。本実施形態では、測定部４５０の右上部は、廃液部４６０に繋がる。廃液部４６０は、左上方に開口する凹部であり、且つ測定部４５０から液体が廃液される領域である。測定部４５０を形成する面のうち、廃液部４６０に向けて右上方に延びる面は、廃液案内面４５１である。
【００４６】
検査チップ２に封入された液体を説明する。図２及び図３に示すように、本実施形態の検査チップ２には、反応停止液９１、基質溶液９２、洗浄液９３、標識抗体液９４、及び検査液体９５が封入される。
【００４７】
検査液体９５は、例えば、血液、血漿、血球、骨髄、尿、膣組織、上皮組織、腫瘍、精液、唾液、又は食料品などの成分を含む液体である。標識抗体液９４は、酵素標識抗体を含む液体である。酵素標識抗体は、検査対象の物質と磁性ビーズ９６の抗体との結合体に特異的に結合する、酵素で標識された抗体である。検査液体９５が、磁性ビーズ９６に接触すると、磁性ビーズ９６の表面に固相化された抗体に、検査液体９５に含まれる検査対象の物質が結合する。次いで、標識抗体液９４が磁性ビーズ９６に接触すると、検査対象の物質と磁性ビーズ９６の抗体との結合体に酵素標識抗体が特異的に結合する。
【００４８】
洗浄液９３は、磁性ビーズ９６を洗浄する液体であり、磁性ビーズ９６の抗体と結合していない検査液体９５の成分等を除去する。基質溶液９２は、洗浄液９３によって洗浄された後の磁性ビーズ９６に接触し、酵素標識抗体と酵素反応する液体である。反応停止液９１は、基質溶液９２と混合される液体であり、酵素反応が進行するのを停止する液体である。本実施形態では、基質溶液９２が酵素反応することによって生じる蛍光物質又は呈色物質を検出して、検査対象の物質を測定することができる。
【００４９】
液受部４１０及び接続部５００の詳細構造を説明する。以下の説明では、液受部４１０が延びる下方向を、形成方向という。形成方向は、後述する自転角度９０度の検査チップ２に作用する遠心力Ｘの方向と平行である。図４〜図６に示すように、液受部４１０と供給部４２０との間には、液受部４１０と供給部４２０とを隔てる壁部である隔壁４９０が設けられる。隔壁４９０は、液受部４１０の側面の一部である流入面４１４と、供給部４２０の側面の一部である流出面４２１とを含む。流入面４１４は右下方に延びる。流出面４２１は左下方に延びる。接続部５００は、隔壁４９０に設けられた、液受部４１０と供給部４２０とを結ぶ溝部である。
【００５０】
本実施形態の接続部５００は、四つの供給流路５１０，５２０，５３０，５４０を含む。供給流路５２０，５４０は、夫々、第一面２０３から後方に向けて凹み、且つ流入面４１４から流出面４２１まで延びる凹部である。供給流路５１０，５３０は、夫々、第二面２０４から前方に向けて凹み、且つ流入面４１４から流出面４２１まで延びる凹部である。
【００５１】
図６に示すように、検査チップ２の前後方向中心を通り、且つ前後方向と直交する方向に延びる仮想面を、仮想平面Ｙという。液体流路２５（図２及び図３参照）は、接続部５００、ビーズ保持部６００、及び測定部４５０を除いて、仮想平面Ｙを跨いで前後方向に延びる。従って、液受部４１０及び供給部４２０は、何れも仮想平面Ｙに形成される。ビーズ保持部６００及び測定部４５０（図２及び図３参照）は、仮想平面Ｙよりも前側にある。接続部５００のうち、供給流路５２０，５４０は仮想平面Ｙよりも前側にあり、且つ供給流路５１０，５３０は仮想平面Ｙよりも後側にある。
【００５２】
図４〜図６に示すように、供給流路５１０，５２０，５３０，５４０の各左下部は、夫々、流入面４１４に接続する開口である流入口５１１，５２１，５３１，５４１である。各流入口５１１，５２１，５３１，５４１は、前後方向に長い矩形状の開口である。流入口５１１，５２１，５３１，５４１は、何れも仮想線Ｌよりも下側にある。仮想線Ｌは、後述の定量端部４１３を通り、且つ左右方向に延びる仮想線である。
【００５３】
図６に示すように、流入口５１１，５３１は、左側面視で形成方向に並ぶ。流入口５２１，５４１は、左側面視で形成方向に並ぶ。流入口５１１，５２１，５３１，５４１は、形成方向の上流側から下流側に向けて順に並ぶ。流入口５１１は、流入口５１１，５２１，５３１，５４１のうちで、形成方向の最上流側にある。流入口５２１は、流入口５１１よりも形成方向の下流側にある。流入口５３１は、流入口５２１よりも形成方向の下流側にある。流入口５４１は、流入口５３１よりも形成方向の下流側にある。即ち流入口５４１は、流入口５１１，５２１，５３１，５４１のうちで、形成方向の最下流側にある。
【００５４】
流入口５４１は、流入面４１４の前下部に設けられる。液受部４１０の側面は、誘導面４１６及び底面４１７を含む。誘導面４１６は、流入面４１４から左下方に延びる。底面４１７は、誘導面４１６の左下部から左方に延び、且つ液受部４１０における形成方向の下流側端部にある。誘導面４１６における仮想平面Ｙと平行な方向の長さを、幅長Ｄという。即ち幅長Ｄは、仮想平面Ｙと平行な方向における、流入面４１４の下辺部から底面４１７の右辺部までの長さである。流入面４１４の下辺部は前上側に若干傾斜しているため、幅長Ｄは誘導面４１６の前方に向かって漸増する。
【００５５】
従って、誘導面４１６のうちで流入口５４１と接続する前端部は、幅長Ｄが最も大きい。誘導面４１６のうちで流入口５４１から最も離隔した後端部は、幅長Ｄが最も小さい。これに伴って、流入面４１４は、前下側に向かって若干右側に傾斜するように延びる。即ち流入面４１４は、仮想平面Ｙと交差する方向に延び、且つ前後方向に対して傾斜するテーパ状の壁面である。
【００５６】
図４及び図５に示すように、供給流路５１０，５２０，５３０，５４０の各右上部は、夫々、流入面４１４に接続する開口である流出口５１２，５２２，５３２，５４２である。四つの流出口５１２，５２２，５３２，５４２は何れも、仮想線Ｌよりも上側にある。流出口５１２，５２２は、互いに前後方向に並んで設けられる。流出口５３２，５４２は、互いに前後方向に並んで設けられる。流出口５３２，５４２は、流出口５１２，５２２よりも下側、且つ流出口５１２，５２２よりも左側に設けられる。
【００５７】
複数の供給流路５１０，５２０，５３０，５４０は、各々の流入口５１１，５２１，５３１，５４１が形成方向の上流側にあるほど、各々の流入口５１１，５２１，５３１，５４１と流出口５１２，５２２，５３２，５４２との左右方向距離が大きい。具体的には、供給流路５１０の流入口５１１と流出口５１２との左右方向距離は、供給流路５２０の流入口５２１と流出口５１２との左右方向距離よりも大きい。供給流路５２０の流入口５２１と流出口５２２との左右方向距離は、供給流路５３０の流入口５３１と流出口５３２との左右方向距離よりも大きい。供給流路５３０の流入口５３１と流出口５３２との左右方向距離は、供給流路５４０の流入口５４１と流出口５４２との左右方向距離よりも大きい。
【００５８】
供給流路５１０が流入口５１１から延びる方向と、下方向とがなす角度を、角度Ｒ１とする（図５参照）。供給流路５２０が流入口５２１から延びる方向と、下方向とがなす角度を、角度Ｒ２とする（図４参照）。供給流路５３０が流入口５３１から延びる方向と、下方向とがなす角度を、角度Ｒ３とする（図５参照）。供給流路５４０が流入口５４１から延びる方向と、下方向とがなす角度を、角度Ｒ４とする（図４参照）。本実施形態では、角度Ｒ１＜角度Ｒ２＜角度Ｒ３＜角度Ｒ４の関係が成り立つ。一例として、角度Ｒ１〜Ｒ４は、夫々、１３５度、１５０度、１６０度、及び１７０度である。
【００５９】
例えば、流入口５１１，５２１，５３１，５４１のうちで形成方向の上流側から起算してｎ番目にあるものを、ｎ番目の流入口という。供給流路５１０，５２０，５３０，５４０のうちでｎ番目の流入口を有するものを、ｎ番目の供給流路という。即ち供給流路５１０，５２０，５３０，５４０は、夫々、一番目〜四番目の供給流路である。この場合、上記のように（ｎ＋１）番目の供給流路と下方向とのなす角度は、ｎ番目の供給流路と下方向とのなす角度よりも大きいという関係が成り立つ。更にｎが「２」よりも大きい場合、ｎ番目の供給流路と（ｎ−１）番目の供給流路との間で、次の関係が成り立つ。
【００６０】
図５に示すように、一番目の供給流路（供給流路５１０）を形成する面は、第一供給面５１３及び第二供給面５１４を含む。第一供給面５１３及び第二供給面５１４は、互いに形成方向に対向して、流入口５１１から流出口５１２まで夫々延びる。第二供給面５１４は、第一供給面５１３よりも形成方向の上流側にある。流入口５１１の下端部は、第一供給面５１３の左端部と接続する。流入口５１１の下端部を通り、且つ供給流路５１０と平行に延びる仮想線を、仮想線Ｊ１とする。仮想線Ｊ１は、対向面４１５と交差する。
【００６１】
図４に示すように、二番目の供給流路（供給流路５２０）を形成する面は、第一供給面５２３及び第二供給面５２４を含む。第一供給面５２３及び第二供給面５２４は、互いに形成方向に対向して、流入口５２１から流出口５２２まで夫々延びる。第二供給面５２４は、第一供給面５２３よりも形成方向の上流側にある。流入口５２１の下端部は、第一供給面５２３の左端部と接続する。流入口５２１の下端部を通り、且つ供給流路５２０と平行に延びる仮想線を、仮想線Ｊ２とする。仮想線Ｊ２は、仮想線Ｊ１よりも下側で、対向面４１５と交差する。流入口５２１の上端部は、第二供給面５２４の左端部と接続する。流入口５２１の上端部を通り、且つ仮想線Ｊ１と平行に延びる仮想線を、仮想線Ｋ２とする。この場合、仮想線Ｋ２は、下方向と角度Ｒ１をなし、且つ第一供給面５２３と交差する。
【００６２】
図５に示すように、三番目の供給流路（供給流路５３０）を形成する面は、第一供給面５３３及び第二供給面５３４を含む。第一供給面５３３及び第二供給面５３４は、互いに形成方向に対向して、流入口５３１から流出口５３２まで夫々延びる。第二供給面５３４は、第一供給面５３３よりも形成方向の上流側にある。流入口５３１の下端部は、第一供給面５３３の左端部と接続する。流入口５３１の下端部を通り、且つ供給流路５３０と平行に延びる仮想線を、仮想線Ｊ３とする。仮想線Ｊ３は、仮想線Ｊ２よりも下側で、対向面４１５と交差する。流入口５３１の上端部は、第二供給面５３４の左端部と接続する。流入口５３１の上端部を通り、且つ仮想線Ｊ２と平行に延びる仮想線を、仮想線Ｋ３とする。この場合、仮想線Ｋ３は、下方向と角度Ｒ２をなし、且つ第一供給面５３３と交差する。
【００６３】
図４に示すように、四番目の供給流路（供給流路５４０）を形成する面は、第一供給面５４３及び第二供給面５４４を含む。第一供給面５４３及び第二供給面５４４は、互いに形成方向に対向して、流入口５４１から流出口５４２まで夫々延びる。第二供給面５４４は、第一供給面５４３よりも形成方向の上流側にある。流入口５４１の下端部は、第一供給面５４３の左端部と接続する。流入口５４１の下端部を通り、且つ供給流路５４０と平行に延びる仮想線を、仮想線Ｊ４とする。仮想線Ｊ４は、誘導面４１６に沿って延びる。流入口５４１の上端部は、第二供給面５４４の左端部と接続する。流入口５４１の上端部を通り、且つ仮想線Ｊ３と平行に延びる仮想線を、仮想線Ｋ４とする。この場合、仮想線Ｋ４は、下方向と角度Ｒ３をなし、且つ第一供給面５４３と交差する。
【００６４】
図２及び図３に示すように、標識抗体液注入部３７０の形成面３７１の延びる方向と、下方向とがなす角度を、角度Ｒ４１とする。検査液体注入部３９０の形成面３９１の延びる方向と、下方向とがなす角度を、角度Ｒ４２とする。角度Ｒ４１，Ｒ４２は何れも、三番目の供給流路（供給流路５３０）の角度Ｒ３（図５参照）より大きい。本実施形態では、角度Ｒ４１，Ｒ４２は何れも、四番目の供給流路（供給流路５４０）の角度Ｒ４（図４参照）と同じ１７０度である。
【００６５】
図４及び図５に示すように、液受部４１０の側面は、対向面４１５を含む。対向面４１５は、流入面４１４の左下側に対向配置され、且つ底面４１７の左端部から左上方に延びる。液受部４１０のうちで、流入面４１４と第一案内面４０１とが接続する端部は、接続端部４１１である。液受部４１０のうちで対向面４１５側の上端部は、定量端部４１３である。定量端部４１３は、接続端部４１１よりも下側にある。第二案内面４３１は、定量端部４１３から左下方に延びる。
【００６６】
本実施形態では、供給流路５１０，５２０，５３０，５４０が各々延びる方向の長さである流路長は、互いに略等しい。供給流路５１０，５２０，５３０，５４０が夫々延びる方向と直交する断面積である流路断面積は、互いに略等しい。即ち、供給流路５１０，５２０，５３０，５４０は、互いに等しい容積で形成されている。
【００６７】
第一案内面４０１の延びる方向と、下方向とがなす角度を、角度Ｒ２２という。角度Ｒ２２は、一番目の供給流路（供給流路５１０）の角度Ｒ１より小さい。図２に示すように、取出面６０１の延びる方向と、下方向とがなす角度を、角度Ｒ２３という。角度Ｒ２３は、二番目の供給流路（供給流路５２０）の角度Ｒ２（図４参照）より小さい。廃液案内面４５１の延びる方向と、下方向とがなす角度を、角度Ｒ２４という。角度Ｒ２４は角度Ｒ２３より大きい。本実施形態では、角度Ｒ２２，Ｒ２３，Ｒ２４は、夫々、１０５度、１３５度、１６５度である。
【００６８】
＜５．検査チップ２のその他構造＞
図１に示すように、Ｌ型プレート６０から延びる支軸４６は、図示外の装着用ホルダを介して板材１９の後面中央に垂直に連結される。支軸４６の回転に伴って、検査チップ２が支軸４６を中心に自転する。検査チップ２は図２に示す定常状態である場合、上辺部８１及び下辺部８４が重力Ｇの方向と直交し、右辺部８２及び左辺部８３が重力Ｇの方向と平行、且つ、左辺部８３が右辺部８２よりも主軸５７側に配置される。定常状態の検査チップ２が測定位置に配置されている状態において、光源７１と光センサ７２とを結ぶ測定光を測定部４５０に通過させることで、検査装置１は光学測定による検査を行う。
【００６９】
＜６．検査方法の一例＞
検査装置１及び検査チップ２を用いた検査方法を説明する。図２及び図３に示すように、反応停止液注入部３１０に、反応停止液９１が注入される。基質溶液注入部３３０に、基質溶液９２が注入される。洗浄液注入部３５０に、洗浄液９３が注入される。標識抗体液注入部３７０に、標識抗体液９４が注入される。検査液体注入部３９０に、検査液体９５が注入される。
【００７０】
液体は、各種手法によって検査チップ２内に配置可能である。例えば、シート２９１，２９２の何れかに、反応停止液注入部３１０、基質溶液注入部３３０、洗浄液注入部３５０、標識抗体液注入部３７０、及び検査液体注入部３９０の夫々に液体を注入可能な複数の穴が設けられてもよい。この場合、ユーザが複数の穴から各液体を注入した後、これらの穴をシールで封止すればよい。
【００７１】
シート２９２が第二面２０４に貼られた状態で、各液体が反応停止液注入部３１０、基質溶液注入部３３０、洗浄液注入部３５０、及び標識抗体液注入部３７０に各々配置された後に、シート２９１が第一面２０３に貼られてもよい。逆に、シート２９１が第一面２０３に貼られた状態で、各液体が反応停止液注入部３１０、基質溶液注入部３３０、洗浄液注入部３５０、及び標識抗体液注入部３７０に各々配置された後に、シート２９２が第二面２０４に貼られてもよい。
【００７２】
この場合、シート２９１，２９２の何れかに、検査液体注入部３９０に液体を注入可能な穴が設けられてもよい。ユーザは、この穴から検査液体９５を注入した後、この穴をシールで封止すればよい。また、板材１９における検査液体注入部３９０の左側部分に、検査液体注入部３９０に液体を注入可能な穴が設けられてもよい。ユーザは、この穴から検査液体９５を注入した後、この穴をシールで封止すればよい。
【００７３】
ユーザは検査チップ２を図示外の装着用ホルダに取り付けて、操作部１０４から処理開始のコマンドを入力する。これによって、ＣＰＵ１０１は、ＲＯＭ１０３に記憶されている制御プログラムに基づいて、図７に示す遠心処理を実行する。ＣＰＵ１０１は遠心処理において、公転コントローラ９７を介して主軸モータ３５を駆動制御することで、検査チップ２の公転開始、公転速度制御、及び公転停止を行う各動作を実行する。本実施形態では、ＣＰＵ１０１は垂直軸線Ａ１を中心として、検査チップ２を平面視で時計回り方向に公転させる（図１参照）。このとき検査チップ２が移動する公転方向Ｚは、検査チップ２の前側である（図６参照）。
【００７４】
ＣＰＵ１０１は遠心処理において、自転コントローラ９８を介してステッピングモータ５１を駆動制御することで、検査チップ２の自転角度を変更する各動作を実行する。以下の説明では、図２及び図３に示す定常状態の検査チップ２の自転角度を、０度とする。正面視で水平軸線Ａ２を中心として、定常状態からｍ度反時計回りに回転した検査チップ２の自転角度を、ｍ度とする。例えば、定常状態から９０度反時計回りに回転した検査チップ２の自転角度は、９０度である。本実施形態では、ＣＰＵ１０１は自転角度を増加するように変更する場合、検査チップ２を正面視で水平軸線Ａ２を中心として反時計回りに回転させる。ＣＰＵ１０１は自転角度を減少させるように変更する場合、検査チップ２を正面視で水平軸線Ａ２を中心として時計回りに回転させる。
【００７５】
図７に示すように、ＣＰＵ１０１は、ＨＤＤ１０５に予め記憶されているモータの駆動情報を読み込み、公転コントローラ９７に主軸モータ３５の駆動情報をセットし、自転コントローラ９８にステッピングモータ５１の駆動情報をセットする（Ｓ１）。このとき、図２及び図３に示すように、検査チップ２は定常状態であるため、自転角度０度である。次いで、ＣＰＵ１０１は、自転角度０度の検査チップ２の公転を開始する（Ｓ２）。ＣＰＵ１０１は、公転する検査チップ２の移動速度である公転速度を、速度Ｖまで上げる。速度Ｖは、例えば３０００ｒｐｍである。数百Ｇほどの遠心力Ｘが、検査チップ２に作用する。
【００７６】
ＣＰＵ１０１は速度Ｖで公転を実行する（Ｓ３）。図８の状態Ｆ１に示すように、左辺部８３から右辺部８２に向けて、検査チップ２に遠心力Ｘが作用する。この遠心力Ｘによって、各液体が以下のように移動する。反応停止液９１は、反応停止液注入部３１０から供給部３２０に移動する。基質溶液９２は、基質溶液注入部３３０から供給部３４０に移動する。洗浄液９３は、洗浄液注入部３５０から供給部３６０に移動する。標識抗体液９４は、標識抗体液注入部３７０から供給部３８０に移動する。検査液体９５は、検査液体注入部３９０から供給部４００に移動する。
【００７７】
尚、複数の磁性ビーズ９６は、遠心力Ｘの作用に関わらず、磁石６９０（図３参照）の磁力によってビーズ保持部６００に保持される。以下の説明では、公転速度は速度Ｖで一定であるが、遠心処理の途中で速度Ｖの大きさが変更されてもよい。
【００７８】
次いで、図８の状態Ｆ２に示すように、ＣＰＵ１０１は自転角度を０度から９０度に変更する（Ｓ４）。この結果、上辺部８１から下辺部８４に向けて、検査チップ２に遠心力Ｘが作用する。この遠心力Ｘによって、各液体が以下のように移動する。反応停止液９１は、供給部３２０から基質溶液注入部３３０に移動する。基質溶液９２は、供給部３４０から洗浄液注入部３５０に移動する。洗浄液９３は、供給部３６０から標識抗体液注入部３７０に移動する。標識抗体液９４は、供給部３８０から検査液体注入部３９０に移動する。検査液体９５は、供給部４００から液受部４１０に移動する。
【００７９】
次いで、図８の状態Ｆ３に示すように、ＣＰＵ１０１は自転角度を９０度から０度に変更する（Ｓ５）。この結果、左辺部８３から右辺部８２に向けて作用する遠心力Ｘによって、各液体が以下のように移動する。反応停止液９１は、基質溶液注入部３３０から供給部３４０に移動する。基質溶液９２は、洗浄液注入部３５０から供給部３６０に移動する。洗浄液９３は、標識抗体液注入部３７０から供給部３８０に移動する。標識抗体液９４は、検査液体注入部３９０から供給部４００に移動する。検査液体９５は、接続部５００の供給流路５４０（図４参照）を介して液受部４１０から供給部４２０に移動する。
【００８０】
次いで、図８の状態Ｆ４に示すように、ＣＰＵ１０１は自転角度を０度から９０度に変更する（Ｓ６）。この結果、上辺部８１から下辺部８４に向けて作用する遠心力Ｘによって、各液体が以下のように移動する。反応停止液９１は、供給部３４０から洗浄液注入部３５０に移動する。基質溶液９２は、供給部３６０から標識抗体液注入部３７０に移動する。洗浄液９３は、供給部３８０から検査液体注入部３９０に移動する。標識抗体液９４は、供給部４００から液受部４１０に移動する。検査液体９５は、供給部４２０からビーズ保持部６００に移動して、複数の磁性ビーズ９６に接触する。各磁性ビーズ９６に固相化された抗体に、検査液体９５に含まれる検査対象の物質が結合する。
【００８１】
次いで、図９の状態Ｆ５に示すように、ＣＰＵ１０１は自転角度を９０度から０度に変更する（Ｓ７）。この結果、左辺部８３から右辺部８２に向けて作用する遠心力Ｘによって、各液体が以下のように移動する。反応停止液９１は、洗浄液注入部３５０から供給部３６０に移動する。基質溶液９２は、標識抗体液注入部３７０から供給部３８０に移動する。洗浄液９３は、検査液体注入部３９０から供給部４００に移動する。標識抗体液９４は、接続部５００の供給流路５４０（図４参照）を介して液受部４１０から供給部４２０に移動する。検査液体９５は、ビーズ保持部６００から供給部４４０に移動する。
【００８２】
次いで、図９の状態Ｆ６に示すように、ＣＰＵ１０１は自転角度を０度から９０度に変更する（Ｓ８）。この結果、上辺部８１から下辺部８４に向けて作用する遠心力Ｘによって、各液体が以下のように移動する。反応停止液９１は、供給部３６０から標識抗体液注入部３７０に移動する。基質溶液９２は、供給部３８０から検査液体注入部３９０に移動する。洗浄液９３は、供給部４００から液受部４１０に移動する。標識抗体液９４は、供給部４２０からビーズ保持部６００に移動して、複数の磁性ビーズ９６に接触する。各磁性ビーズ９６の抗体と検査対象の物質との結合体に、標識抗体液９４に含まれる酵素標識抗体が特異的に結合する。検査液体９５は、供給部４４０から測定部４５０に移動する。
【００８３】
図４及び図５に示すように、Ｓ８において検査チップ２が自転される過程で、遠心力Ｘが第一案内面４０１に対して垂直に作用した場合に、洗浄液９３が液受部４１０に流入し始める。角度Ｒ２２は角度Ｒ１〜Ｒ４より小さい。これにより、液受部４１０に流入した洗浄液９３は、供給流路５１０，５２０，５３０，５４０を介して供給部４２０に流出することが防止される。液受部４１０は、遠心力Ｘが下方向に作用している状態で、洗浄液９３を仮想線Ｌまで貯留可能である。流出口５１２，５２２，５３２，５４２は、何れも仮想線Ｌよりも遠心力Ｘが作用する方向の上流側にある。そのため、液受部４１０に貯留された洗浄液９３は、流出口５１２，５２２，５３２，５４２を介して供給部４２０に流出することが更に防止される。
【００８４】
液受部４１０にある洗浄液９３の液面が仮想線Ｌに到達した状態では、液受部４１０に洗浄液９３が移動するに伴って、余剰の洗浄液９３が定量端部４１３から溢れる。溢れた洗浄液９３は、第二案内面４３１に沿って余剰部４３０に移動して貯留される。これにより液受部４１０では、洗浄液９３が予め定められた液量に定量及び貯留される。余剰部４３０では、以降の処理で作用する遠心力Ｘに関わらず、余剰の洗浄液９３が保持される。
【００８５】
次いで、ＣＰＵ１０１は複数の供給流路５１０，５２０，５３０，５４０の何れかを介して、洗浄液９３を液受部４１０からビーズ保持部６００に複数回供給し、複数の磁性ビーズ９６を多段階に洗浄する。ＣＰＵ１０１は、第一動作と第二動作とを繰り返し実行することで、洗浄液９３を多段階に液受部４１０からビーズ保持部６００に供給する。第一動作は、洗浄液９３を液受部４１０から供給部４２０に供給するために、下方向と交差し且つ仮想平面Ｙと平行に作用する遠心力Ｘを、検査チップ２に付与する動作である。第二動作は、洗浄液９３を供給部４２０からビーズ保持部６００に供給するために、下方向と平行に作用する遠心力Ｘを、検査チップ２に付与する動作である。
【００８６】
ＣＰＵ１０１は、ｎ回目の第一動作を行う場合、遠心力Ｘの方向と下方向とのなす角度が第一角度以上、且つ第二角度未満となる方向に、遠心力Ｘを作用させる。第一角度は、ｎ番目の供給流路が延びる方向に垂直な方向と、下方向とがなす角度である。第二角度は、（ｎ＋１）番目の供給流路が延びる方向に垂直な方向と、下方向とがなす角度である。本実施形態では、ＣＰＵ１０１はｎ回目の第一動作において、遠心力Ｘの方向と下方向とが第一角度をなす方向に、検査チップ２に遠心力Ｘを作用させる。
【００８７】
図９の状態Ｆ７及び図１３に示すように、ＣＰＵ１０１は自転角度を９０度から４５度に変更することで、一回目の第一動作を行う（Ｓ９）。これにより、一番目の供給流路（供給流路５１０）が延びる方向と垂直な方向に、遠心力Ｘが作用する。この遠心力Ｘの作用によって、液受部４１０にある洗浄液９３の一部は、流入口５１１から供給流路５１０内に流入し、流出口５１２から供給部４２０に流出する。
【００８８】
このとき流出口５１２から流出した洗浄液９３は、流出口５１２よりも前側にある流出口５２２から離隔するように、且つ流出口５１２よりも左下側にある流出口５３２，５４２から離隔するように、遠心力Ｘの方向に移動する。従って流出口５１２から流出した洗浄液９３は、流出口５２２，５３２，５４２に進入することが防止される。以下の説明では、供給流路５１０を介して供給部４２０に移動した洗浄液９３を、洗浄液９３１という。
【００８９】
本実施形態の流入口５１１は、流入口５１１，５２１，５３１，５４１のうちで、形成方向の最上流側且つ第二面２０４側に設けられる（図６参照）。検査チップ２が公転方向Ｚに公転されると、液体流路２５内の液体は公転方向Ｚとは反対側（即ち、第二面２０４側）に付勢される。Ｓ９において、液受部４１０にある洗浄液９３は、流入口５１１，５２１，５３１，５４１のうちで、流入口５１１に相対的に流入しやすい。従って、液受部４１０にある洗浄液９３の一部を、供給流路５１０を介して供給部４２０へ正確に供給できる。
【００９０】
一方、供給流路５４０は、Ｓ５において検査液体９５が移動し、且つＳ７において標識抗体液９４が移動しているため、液体が流入しやすい状態にある。本実施形態の流入口５４１は、流入口５１１，５２１，５３１，５４１のうちで、形成方向の最下流側且つ第一面２０３側に設けられる。Ｓ９において、液受部４１０にある洗浄液９３は、流入口５４１に相対的に流入しにくい。従って、洗浄液９３が供給流路５４０を伝って供給部４２０に流出することが抑制される（後述のＳ１１、Ｓ１３も同様）。
【００９１】
Ｓ９において、供給流路５１０を介して洗浄液９３１が流出するのに伴って、液受部４１０にある洗浄液９３の液面が、仮想線Ｌから遠心力Ｘの方向に移動する。洗浄液９３の液面が仮想線Ｊ１に到達すると、洗浄液９３１の流出が止まる。尚、流入口５２１から供給流路５２０内に流入した洗浄液９３の液面は、仮想線Ｊ１と平行な仮想線Ｋ２と略一致する位置にある。同様に、供給流路５３０内に流入した洗浄液９３の液面は、流入口５３１の上端部を通り、且つ仮想線Ｊ１と平行な状態にある。供給流路５４０内に流入した洗浄液９３の液面は、流入口５４１の上端部を通り、且つ仮想線Ｊ１と平行な状態にある。従って、供給流路５２０，５３０，５４０内に流入した洗浄液９３は夫々、流出口５２２，５３２，５４２から流出することなく、供給流路５２０，５３０，５４０内に保持される。
【００９２】
本実施形態では、角度Ｒ２４，Ｒ４１，Ｒ４２（図２及び図３参照）は、何れも角度Ｒ１より大きい。角度Ｒ２３（図２参照）は、角度Ｒ１と等しい。このため、Ｓ９において、反応停止液９１、基質溶液９２、及び検査液体９５は、標識抗体液注入部３７０、検査液体注入部３９０、及び測定部４５０に夫々保持される。標識抗体液９４は、遠心力Ｘの作用によって、ビーズ保持部６００から供給部４４０に移動する。
【００９３】
次いで、図９の状態Ｆ８に示すように、ＣＰＵ１０１は自転角度を４５度から９０度に変更することで、一回目の第二動作を行う（Ｓ１０）。この結果、上辺部８１から下辺部８４に向けて作用する遠心力Ｘによって、各液体が以下のように移動する。洗浄液９３１は、供給部４２０からビーズ保持部６００に移動する。洗浄液９３１によって、複数の磁性ビーズ９６に対する一回目の洗浄が行われる。標識抗体液９４は、供給部４４０から測定部４５０に移動する。尚、反応停止液９１、基質溶液９２、洗浄液９３、及び検査液体９５は、標識抗体液注入部３７０、検査液体注入部３９０、液受部４１０、及び測定部４５０に夫々保持される。測定部４５０では、流入した標識抗体液９４が検査液体９５に混合して、混合液９５１が生成される。
【００９４】
次いで、図１０の状態Ｆ９及び図１４に示すように、ＣＰＵ１０１は自転角度を９０度から３０度に変更することで、二回目の第一動作を行う（Ｓ１１）。これにより、二番目の供給流路（供給流路５２０）が延びる方向と垂直な方向に、遠心力Ｘが作用する。この遠心力Ｘの作用によって、液受部４１０にある洗浄液９３の一部は、流入口５２１から供給流路５２０内に流入し、流出口５２２から供給部４２０に流出する。
【００９５】
このとき流出口５２２から流出した洗浄液９３は、流出口５２２よりも後側にある流出口５１２から離隔するように、且つ流出口５２２よりも左下側にある流出口５３２，５４２から離隔するように、遠心力Ｘの方向に移動する。従って流出口５２２から流出した洗浄液９３は、流出口５１２，５３２，５４２に進入することが防止される。以下の説明では、供給流路５２０を介して供給部４２０に移動した洗浄液９３を、洗浄液９３２という。本実施形態では、Ｓ１１において洗浄液９３１と同量の洗浄液９３２が、供給流路５２０を介して供給部４２０に供給される。
【００９６】
Ｓ１１において、供給流路５２０を介して洗浄液９３２が流出するのに伴って、液受部４１０にある洗浄液９３の液面が、仮想線Ｊ１から遠心力Ｘの方向に移動する。洗浄液９３の液面が仮想線Ｊ２に到達すると、洗浄液９３２の流出が止まる。尚、流入口５３１から供給流路５３０内に流入した洗浄液９３の液面は、仮想線Ｊ２と平行な仮想線Ｋ３と略一致する位置にある。同様に、供給流路５４０内に流入した洗浄液９３の液面は、流入口５４１の上端部を通り、且つ仮想線Ｊ２と平行な状態にある。従って、供給流路５３０，５４０内に流入した洗浄液９３は夫々、流出口５３２，５４２から流出することなく、供給流路５２０，５３０，５４０内に保持される。
【００９７】
本実施形態では、角度Ｒ２４，Ｒ４１，Ｒ４２は、何れも角度Ｒ２より大きい。角度Ｒ２３は、角度Ｒ２より小さい。このため、Ｓ１１において、反応停止液９１、基質溶液９２、及び混合液９５１は、標識抗体液注入部３７０、検査液体注入部３９０、及び測定部４５０に夫々保持される。洗浄液９３１は、遠心力Ｘの作用によって、ビーズ保持部６００から供給部４４０に移動する。
【００９８】
次いで、図９の状態Ｆ１０に示すように、ＣＰＵ１０１は自転角度を３０度から９０度に変更することで、二回目の第二動作を行う（Ｓ１２）。この結果、上辺部８１から下辺部８４に向けて作用する遠心力Ｘによって、各液体が以下のように移動する。洗浄液９３２は、供給部４２０からビーズ保持部６００に移動する。洗浄液９３２によって、複数の磁性ビーズ９６に対する二回目の洗浄が行われる。洗浄液９３１は、供給部４４０から測定部４５０に移動する。尚、反応停止液９１、基質溶液９２、洗浄液９３、及び混合液９５１は、標識抗体液注入部３７０、検査液体注入部３９０、液受部４１０、及び測定部４５０に夫々保持される。測定部４５０では、流入した洗浄液９３１が混合液９５１に混合して、混合液９５２が生成される。
【００９９】
次いで、図１０の状態Ｆ１１及び図１５に示すように、ＣＰＵ１０１は自転角度を９０度から２０度に変更することで、三回目の第一動作を行う（Ｓ１３）。これにより、三番目の供給流路（供給流路５３０）が延びる方向と垂直な方向に、遠心力Ｘが作用する。この遠心力Ｘの作用によって、液受部４１０にある洗浄液９３の一部は、流入口５３１から供給流路５３０内に流入し、流出口５３２から供給部４２０に流出する。
【０１００】
このとき流出口５３２から流出した洗浄液９３は、流出口５３２よりも前側にある流出口５４２から離隔するように、且つ流出口５３２よりも右上側にある流出口５１２，５２２から離隔するように、遠心力Ｘの方向に移動する。従って流出口５３２から流出した洗浄液９３は、流出口５１２，５２２，５４２に進入することが防止される。以下の説明では、供給流路５３０を介して供給部４２０に移動した洗浄液９３を、洗浄液９３３という。本実施形態では、Ｓ１３において洗浄液９３１と同量の洗浄液９３３が、供給流路５３０を介して供給部４２０に供給される。
【０１０１】
Ｓ１３において、供給流路５３０を介して洗浄液９３３が流出するのに伴って、液受部４１０にある洗浄液９３の液面が、仮想線Ｊ２から遠心力Ｘの方向に移動する。洗浄液９３の液面が仮想線Ｊ３に到達すると、洗浄液９３３の流出が止まる。尚、流入口５４１から供給流路５４０内に流入した洗浄液９３の液面は、仮想線Ｊ３と平行な仮想線Ｋ４と略一致する位置にある。従って、供給流路５４０内に流入した洗浄液９３は、流出口５４２から流出することなく、供給流路５４０内に保持される。
【０１０２】
本実施形態では、角度Ｒ２４，Ｒ４１，Ｒ４２は、何れも角度Ｒ３より大きい。角度Ｒ２３は、角度Ｒ３より小さい。このため、Ｓ１３において、混合液９５２の一部は、遠心力Ｘの作用によって測定部４５０から廃液部４６０に移動する。反応停止液９１及び基質溶液９２、及び混合液９５２の残りは、標識抗体液注入部３７０、検査液体注入部３９０、及び測定部４５０に夫々保持される。洗浄液９３２は、遠心力Ｘの作用によって、ビーズ保持部６００から供給部４４０に移動する。尚、廃液部４６０では、以降の処理で作用する遠心力Ｘに関わらず、廃液部４６０に流入した液体が保持される。
【０１０３】
次いで、図１０の状態Ｆ１２に示すように、ＣＰＵ１０１は自転角度を２０度から９０度に変更することで、三回目の第二動作を行う（Ｓ１４）。この結果、上辺部８１から下辺部８４に向けて作用する遠心力Ｘによって、各液体が以下のように移動する。洗浄液９３３は、供給部４２０からビーズ保持部６００に移動する。洗浄液９３３によって、複数の磁性ビーズ９６に対する三回目の洗浄が行われる。洗浄液９３２は、供給部４４０から測定部４５０に移動する。尚、反応停止液９１、基質溶液９２、及び洗浄液９３は、標識抗体液注入部３７０、検査液体注入部３９０、及び液受部４１０に夫々保持される。混合液９５２は、測定部４５０及び廃液部４６０に保持される。測定部４５０では、流入した洗浄液９３２が混合液９５２に混合して、混合液９５３が生成される。
【０１０４】
次いで、図１１の状態Ｆ１３に示すように、ＣＰＵ１０１は自転角度を９０度から０度に変更することで、四回目の第一動作を行う（Ｓ１５）。これにより、四番目の供給流路（供給流路５４０）が延びる方向と鋭角をなす方向に、遠心力Ｘが作用する。この遠心力Ｘの作用によって、液受部４１０にある洗浄液９３は、流入口５４１から供給流路５４０内に流入し、流出口５４２から供給部４２０に流出する。このとき流出口５４２から流出した洗浄液９３は、流出口５４２よりも後側にある流出口５３２から離隔するように、且つ流出口５４２よりも右上側にある流出口５１２，５２２から離隔するように、遠心力Ｘの方向に移動する。従って流出口５４２から流出した洗浄液９３は、流出口５１２，５２２，５３２に進入することが防止される。
【０１０５】
本実施形態の流入口５４１は、流入面４１４が傾斜する方向である右前下側の端部にある。Ｓ１５において、液受部４１０にある洗浄液９３は、遠心力Ｘの作用によって、誘導面４１６に沿って流入面４１４側に移動しやすく、且つ流入面４１４に沿って右前下側に移動しやすい。即ち、液受部４１０にある洗浄液９３は、流入面４１４の右前下部にある流入口５４１に相対的に流入しやすい。従って、液受部４１０に残存する洗浄液９３の全てを、供給流路５４０を介して供給部４２０へ正確に供給できる。
【０１０６】
Ｓ１５において、供給流路５４０を介して洗浄液９３が流出するのに伴って、液受部４１０にある洗浄液９３の液面が、仮想線Ｊ３から遠心力Ｘの方向に移動する。これにより、液受部４１０に残存する洗浄液９３の全てが、供給部４２０に移動する。以下の説明では、供給流路５４０を介して供給部４２０に移動した洗浄液９３を、洗浄液９３４という。本実施形態では、Ｓ１５において洗浄液９３１と同量の洗浄液９３４が、供給流路５４０を介して供給部４２０に供給される。即ち、洗浄液９３１〜９３４は互い同量である。尚、Ｓ１５では、自転角度を９０度から０度〜１０度に変更すればよい。
【０１０７】
本実施形態では、角度Ｒ２３，Ｒ２４，Ｒ４１，Ｒ４２は、何れも角度Ｒ４より小さい。このため、Ｓ１５では、左辺部８３から右辺部８２に向けて作用する遠心力Ｘによって、各液体が以下のように移動する。反応停止液９１は、標識抗体液注入部３７０から供給部３８０に移動する。基質溶液９２は、検査液体注入部３９０から供給部４００に移動する。洗浄液９３３は、ビーズ保持部６００から供給部４４０に移動する。混合液９５３は、測定部４５０から廃液部４６０に移動する。廃液部４６０では、流入した混合液９５３が混合液９５２に混合して、混合液９５４が生成される。
【０１０８】
次いで、図１１の状態Ｆ１４に示すように、ＣＰＵ１０１は自転角度を０度から９０度に変更することで、四回目の第二動作を行う（Ｓ１６）。この結果、上辺部８１から下辺部８４に向けて作用する遠心力Ｘによって、各液体が以下のように移動する。反応停止液９１は、供給部３８０から検査液体注入部３９０に移動する。基質溶液９２は、供給部４００から液受部４１０に移動する。洗浄液９３４は、供給部４２０からビーズ保持部６００に移動する。洗浄液９３４によって、複数の磁性ビーズ９６に対する四回目の洗浄が行われる。洗浄液９３３は、供給部４４０から測定部４５０に移動する。
【０１０９】
次いで、図１１の状態Ｆ１５に示すように、ＣＰＵ１０１は自転角度を９０度から０度に変更する（Ｓ１７）。この結果、左辺部８３から右辺部８２に向けて作用する遠心力Ｘによって、各液体が以下のように移動する。反応停止液９１は、検査液体注入部３９０から供給部４００に移動する。基質溶液９２は、接続部５００を介して液受部４１０から供給部４２０に移動する。洗浄液９３４は、ビーズ保持部６００から供給部４４０に移動する。洗浄液９３３は、測定部４５０から廃液部４６０に移動する。廃液部４６０では、流入した洗浄液９３３が混合液９５４に混合して、混合液９５５が生成される。
【０１１０】
次いで、図１１の状態Ｆ１６に示すように、ＣＰＵ１０１は自転角度を０度から９０度に変更する（Ｓ１８）。この結果、上辺部８１から下辺部８４に向けて作用する遠心力Ｘによって、各液体が以下のように移動する。反応停止液９１は、供給部４００から液受部４１０に移動する。基質溶液９２は、供給部４２０からビーズ保持部６００に移動する。基質溶液９２は、洗浄液９３によって洗浄された複数の磁性ビーズ９６に接触し、酵素標識抗体と酵素反応する。洗浄液９３４は、供給部４４０から測定部４５０に移動する。
【０１１１】
次いで、図１２の状態Ｆ１７に示すように、ＣＰＵ１０１は自転角度を９０度から０度に変更する（Ｓ１９）。この結果、左辺部８３から右辺部８２に向けて作用する遠心力Ｘによって、各液体が以下のように移動する。反応停止液９１は、接続部５００を介して液受部４１０から供給部４２０に移動する。基質溶液９２は、ビーズ保持部６００から供給部４４０に移動する。洗浄液９３４は、測定部４５０から廃液部４６０に移動する。廃液部４６０では、流入した洗浄液９３４が混合液９５５に混合して、混合液９５６が生成される。
【０１１２】
次いで、図１２の状態Ｆ１８に示すように、ＣＰＵ１０１は自転角度を０度から９０度に変更する（Ｓ２０）。この結果、上辺部８１から下辺部８４に向けて作用する遠心力Ｘによって、各液体が以下のように移動する。反応停止液９１は、供給部４２０からビーズ保持部６００に移動する。基質溶液９２は、供給部４４０から測定部４５０に移動する。
【０１１３】
次いで、図１２の状態Ｆ１９に示すように、ＣＰＵ１０１は自転角度を９０度から４５度に変更する（Ｓ２１）。この結果、取出面６０１に垂直な方向の遠心力Ｘが作用する。この遠心力Ｘの作用によって、反応停止液９１はビーズ保持部６００から供給部４４０に移動する。一方、角度Ｒ２４は角度Ｒ２３よりも大きいため、基質溶液９２は測定部４５０に保持される。
【０１１４】
次いで、図１２の状態Ｆ２０に示すように、ＣＰＵ１０１は自転角度を４５度から９０度に変更する（Ｓ２２）。この結果、上辺部８１から下辺部８４に向けて作用する遠心力Ｘによって、反応停止液９１は供給部４４０から測定部４５０に移動する。基質溶液９２は、測定部４５０に保持される。測定部４５０では、流入した反応停止液９１が基質溶液９２に混合して、基質溶液９２の酵素反応の進行が停止する。以下の説明では、反応停止液９１が混合された基質溶液９２を、測定溶液９６０という。
【０１１５】
次いで、ＣＰＵ１０１は自転角度を９０度から０度に変更すると共に、検査チップ２の公転を終了する（Ｓ２３）。以上により、遠心処理は終了する。遠心処理の実行後、ＣＰＵ１０１は、検査チップ２を測定位置まで公転させる。図１に示すように、測定コントローラ９９は、光源７１を発光させることで、測定光を測定部４５０に貯溜された測定溶液９６０に透過させる。ＣＰＵ１０１は、光センサ７２が受光した測定光の変化量に基づいて、測定溶液９６０の光学測定を行い、測定データを取得する。ＣＰＵ１０１は、取得された測定データに基づいて測定溶液９６０の測定結果を算出し、その算出結果をディスプレイ１０６に表示させる。尚、測定溶液９６０の測定方法は、光学測定に限られず、他の方法でもよい。
【０１１６】
＜７．本実施形態の作用の例示＞
（７−１）検査チップ２は、洗浄液９３が予め定められた液体移動経路に沿って移動可能である。検査チップ２は、洗浄液注入部３５０、供給部４００、液受部４１０、複数の供給流路５１０，５２０，５３０，５４０、及び供給部４２０を備える。洗浄液注入部３５０は、洗浄液９３が導入される領域である。供給部４００は、洗浄液注入部３５０よりも液体移動経路の下流側に設けられた流路であって、洗浄液注入部３５０に導入された洗浄液９３が流入する。液受部４１０は、洗浄液注入部３５０よりも液体移動経路の下流側に設けられた領域であって、供給部４００に流入した洗浄液９３が供給される。複数の供給流路５１０，５２０，５３０，５４０は、供給部４００に接続された流路であって、液受部４１０に供給された洗浄液９３が流入する。供給部４２０は、液受部４１０よりも液体移動経路の下流側に設けられた領域であって、複数の供給流路５１０，５２０，５３０，５４０に流入した洗浄液９３が供給される。
【０１１７】
液受部４１０は形成方向に延びる。形成方向は、液受部４１０及び供給部４２０が形成される仮想平面Ｙと平行に延びる方向であって、供給部４００の延びる左下方と交差して供給部４００から離れる下方向である。複数の供給流路５１０，５２０，５３０，５４０は、供給部４００が延びる左下方と交差する右上方に延び、且つ、互いに形成方向に対して異なる角度Ｒ１〜Ｒ４で設けられる。複数の供給流路５１０，５２０，５３０，５４０に含まれる少なくとも二つの供給流路は、仮想平面Ｙと直交する前後方向において互いに異なる位置に設けられる。本実施形態では、供給流路５１０，５３０と供給流路５２０，５４０とが、互いに異なる前後方向位置にある。
【０１１８】
これによれば、検査チップ２に付与される外力（本実施形態では、遠心力Ｘ）の方向を調整することで、液受部４１０に流入した洗浄液９３を、複数の供給流路５１０，５２０，５３０，５４０を介して供給部４２０へ多段階に供給できる。検査チップ２は、複数の供給流路５１０，５２０，５３０，５４０に含まれる少なくとも二つの供給流路を前後方向に重ねて配置できるため、供給流路の数量を増加させても検査チップ２の大型化を抑制できる。従って、検査チップ２は、その大型化を抑制しつつ、例えば洗浄液９３のような液体を多段階で供給可能である。
【０１１９】
（７−２）検査チップ２は、仮想平面Ｙが通る位置に設けられ、且つ仮想平面Ｙと平行に延びる板材１９を備える。洗浄液注入部３５０、供給部４００、液受部４１０、複数の供給流路５１０，５２０，５３０，５４０、及び供給部４２０は、板材１９に設けられる。板材１９は、その前後方向の両端部に設けられた第一面２０３及び第二面２０４を有する。複数の供給流路５１０，５２０，５３０，５４０は、第一面２０３に設けられた少なくとも一つの供給流路５２０，５４０と、第二面２０４に設けられた少なくとも一つの供給流路５１０，５３０とを含む。
【０１２０】
これによれば、複数の供給流路５１０，５２０，５３０，５４０を板材１９の第一面２０３と第二面２０４の両面に分散して形成できるため、検査チップ２の製造が容易である。更に、複数の供給流路５１０，５２０，５３０，５４０を第一面２０３及び第二面２０４のみに設けたことによって、例えば検査チップ２において前後方向に並ぶ三つ以上の複数面の各々に供給流路を設けるよりも、検査チップ２の前後方向（即ち、厚み方向）への大型化を抑制できる。
【０１２１】
（７−３）複数の供給流路５１０，５２０，５３０，５４０は、各々が液受部４１０と接続する部位である複数の流入口５１１，５２１，５３１，５４１を有する。複数の流入口５１１，５２１，５３１，５４１のうちで形成方向の上流側から起算して奇数番目にある流入口５１１，５３１を有する供給流路５１０，５３０は、第二面２０４に設けられる。複数の流入口５１１，５２１，５３１，５４１のうちで形成方向の上流側から起算して偶数番目にある流入口５２１，５４１を有する供給流路５２０，５４０は、第一面２０３に設けられる。これによれば、複数の流入口５１１，５２１，５３１，５４１のうち、互いに形成方向に隣り合う二つの流入口は、板材１９の異なる面に配置される。従って、洗浄液９３を所定の流入口から流出させる場合に、洗浄液９３が所定の流入口と形成方向に隣り合う他の流入口から流出することを抑制できる。
【０１２２】
（７−４）複数の流入口５１１，５２１，５３１，５４１のうちで形成方向の最下流側にある流入口５４１は、複数の流入口５１１，５２１，５３１，５４１のうちで公転方向Ｚの最下流側に設けられる。公転方向Ｚは、検査装置１が検査チップ２から離隔した位置にある垂直軸線Ａ１を中心として検査チップ２を回転させた場合に、検査チップ２が移動する方向である。これによれば、液受部４１０にある洗浄液９３は公転方向Ｚとは反対方向に移動しやすいため、洗浄液９３が意図せず流入口５４１から流出することを抑制できる。
【０１２３】
（７−５）複数の供給流路５１０，５２０，５３０，５４０は、各々の流入口５１１，５２１，５３１，５４１が形成方向の上流側にあるほど、形成方向に対して小さい分岐角度で延びる。本実施形態では、各供給流路５１０，５２０，５３０，５４０の分岐角度の関係として、角度Ｒ１＜角度Ｒ２＜角度Ｒ３＜角度Ｒ４が成り立つ。これによれば、形成方向の最上流側にある供給流路５１０の分岐角度が最も小さいので、検査チップ２の傾きによって液受部４１０から洗浄液９３が漏出することを抑制できる。更に検査チップ２に付与される外力の方向を変更することで、液受部４１０にある洗浄液９３を流出させる供給流路を、供給流路５１０，５２０，５３０，５４０の順序で段階的に使用できる。
【０１２４】
（７−６）複数の供給流路５１０，５２０，５３０，５４０は、各々が供給部４２０と接続する部位である複数の流出口５１２，５２２，５３２，５４２を有する。複数の流出口５１２，５２２，５３２，５４２は、それらのうちで形成方向の上流側にあるほど、遠心方向の上流側に設けられる。遠心方向は、検査装置１が垂直軸線Ａ１を中心として検査チップ２を回転させた場合に、検査チップ２に遠心力Ｘが作用する方向である。これによれば、複数の流出口５１２，５２２，５３２，５４２から流出した洗浄液９３は、遠心力Ｘの方向に移動する。このとき、所定の流出口から流出した洗浄液９３が、所定の流出口よりも形成方向の上流側にある他の流出口に流入することを抑制できる。
【０１２５】
（７−７）複数の供給流路５１０，５２０，５３０，５４０は、各々の流入口５１１，５２１，５３１，５４１が形成方向の上流側にあるほど、仮想平面Ｙと平行に延び且つ形成方向と直交する左右方向において、各々の流入口５１１，５２１，５３１，５４１と流出口５１２，５２２，５３２，５４２との距離が大きい。これによれば、流出口５１２，５２２，５３２，５４２は、それらのうちで形成方向の上流側にあるほど、液受部４１０から離隔しやすい。従って、複数の流出口５１２，５２２，５３２，５４２のうちで所定の流出口から流出した洗浄液９３が、所定の流出口よりも形成方向の上流側にある他の流出口に流入することを抑制できる。
【０１２６】
（７−８）検査チップ２は、供給部４２０よりも液体移動経路の下流側に設けられた領域であって、抗原抗体反応のための抗体である複数の磁性ビーズ９６が保持されるビーズ保持部６００を備える。液受部４１０は、供給部４００から供給された洗浄液９３を、予め定められた液量に定量して貯留する。供給部４２０は、複数の供給流路５１０，５２０，５３０，５４０から供給された洗浄液９３を貯留する。ビーズ保持部６００は、供給部４２０から複数回に分けて洗浄液９３が供給される。これによれば、液受部４１０で定量された洗浄液９３が多段階に分けて供給されることによって、ビーズ保持部６００に保持された複数の磁性ビーズ９６を複数回洗浄できる。
【０１２７】
（７−９）複数の流出口５１２，５２２，５３２，５４２は、洗浄液９３を定量及び貯留する液受部４１０の定量端部４１３よりも、形成方向の上流側にある。これによれば、各流出口５１２，５２２，５３２，５４２は、液受部４１０において定量及び貯留された洗浄液９３の液面である定量面（本実施形態では、仮想線Ｌ）よりも上流側にある。従って、液受部４１０に流入した洗浄液９３が、複数の供給流路５１０，５２０，５３０，５４０を介して供給部４２０に流出することを抑制できる。
【０１２８】
（７−１０）複数の供給流路５１０，５２０，５３０，５４０は、互いに等しい容積である。これによれば、検査チップ２は、各供給流路５１０，５２０，５３０，５４０を介して、同量の洗浄液９３を複数回供給できる。
【０１２９】
（７−１１）液受部４１０を形成する壁面は、仮想平面Ｙと交差する方向に延び、且つ前後方向に対して傾斜するテーパ状の流入面４１４を含む。これによれば、液受部４１０に貯留された洗浄液９３を、流入面４１４に沿って所望の位置（例えば、流入口５４１）に案内できる。
【０１３０】
（７−１２）検査システム３は、検査装置１と検査チップ２とを含む。検査装置１は、検査チップ２を垂直軸線Ａ１を中心に回転させることにより検査チップ２に遠心力Ｘを作用させ、且つ、垂直軸線Ａ１とは異なる水平軸線Ａ２を中心に検査チップ２を回転させることにより遠心力Ｘの方向を変化させる。検査装置１のＣＰＵ１０１は、以下のステップ（Ｓ９〜Ｓ１６）を含む遠心処理を実行可能である。
【０１３１】
ＣＰＵ１０１は、形成方向と交差し且つ仮想平面Ｙと平行な方向に作用する遠心力Ｘを、検査チップ２に付与することによって、複数の供給流路５１０，５２０，５３０，５４０の何れかを介して洗浄液９３を液受部４１０から供給部４２０に移動させる第一動作を複数回実行可能である（Ｓ９，Ｓ１１，Ｓ１３，Ｓ１５）。ＣＰＵ１０１は、複数回の第一動作の何れかが実行された後、形成方向と平行に作用する遠心力Ｘを検査チップ２に付与することによって、洗浄液９３を供給部４２０から液体移動経路の下流側に移動させる第二動作を実行可能である（Ｓ１０，Ｓ１２，Ｓ１４，Ｓ１６）。ＣＰＵ１０１は、複数回の第一動作の各々において、複数の供給流路５１０，５２０，５３０，５４０のうちで互いに異なる供給流路を介して、洗浄液９３を液受部４１０から供給部４２０に移動させる方向に作用する遠心力Ｘを、検査チップ２に付与する。
【０１３２】
これによれば、複数回の第一動作によって、液受部４１０に流入した洗浄液９３を、複数の供給流路５１０，５２０，５３０，５４０を介して供給部４２０へ多段階に供給できる。第一動作後に実行される第二動作によって、洗浄液９３を供給部４２０から液体移動経路の下流側へ多段階に供給できる。先述したように検査チップ２は、供給流路の数量を増加させても検査チップ２の大型化を抑制できる。従って、検査システム３及び遠心処理は、その大型化を抑制しつつ、例えば洗浄液９３のような液体を多段階で供給可能である。
【０１３３】
＜８．備考＞
上記実施形態において、洗浄液９３は本発明の「液体」の一例である。洗浄液注入部３５０は本発明の「導入部」の一例である。供給部４００は本発明の「第一流路」の一例である。液受部４１０は本発明の「第一室」の一例である。供給流路５１０，５２０，５３０，５４０は、本発明の「複数の第二流路」の一例である。供給部４２０は本発明の「第二室」の一例である。板材１９は本発明の「基板」の一例である。流入口５１１，５２１，５３１，５４１は、本発明の「複数の流入部」の一例である。流出口５１２，５２２，５３２，５４２は、本発明の「複数の流出部」の一例である。流入口５４１は本発明の「特定流入部」の一例である。複数の磁性ビーズ９６は、本発明の「担体」の一例である。ビーズ保持部６００は本発明の「反応室」の一例である。流入面４１４は本発明の「テーパ状の壁面」の一例である。
【０１３４】
垂直軸線Ａ１は本発明の「第一軸」の一例である。水平軸線Ａ２は本発明の「第二軸」の一例である。Ｓ９，Ｓ１１，Ｓ１３，Ｓ１５を実行するＣＰＵ１０１は、本発明の「第一作用手段」の一例である。Ｓ１０，Ｓ１２，Ｓ１５，Ｓ１７を実行するＣＰＵ１０１は、本発明の「第二作用手段」の一例である。遠心処理（図７）は本発明の「検査方法」の一例である。Ｓ９，Ｓ１１，Ｓ１３，Ｓ１５は、本発明の「第一ステップ」の一例である。Ｓ１０，Ｓ１２，Ｓ１５，Ｓ１７は、本発明の「第二ステップ」の一例である。
【０１３５】
本発明は上記実施形態に限定されず、各種変形が可能である。例えば、接続部５００に設けられる供給流路の数量、位置、形状、分岐角度（例えば、角度Ｒ１〜Ｒ４）等は、本発明の要旨の範囲内で自由に設計可能である。接続部５００は、四つの供給流路５１０，５２０，５３０，５４０が設けられた態様に限定されず、仮想平面Ｙと直交する方向において互いに異なる位置に設けられた二以上の供給流路が設けられればよい。例えば接続部５００は、互いに異なる前後方向位置に設けられた三つの供給流路が設けられてもよい。
【０１３６】
接続部５００では、第一面２０３に設けられた供給流路の数量と、第二面２０４に設けられた供給流路の数量とが異なってもよい。供給流路は、第一面２０３又は第二面２０４に設けられた凹部に限定されず、液受部４１０から供給部４２０に向けて隔壁４９０を貫通する孔でもよい。接続部５００に設けられた複数の供給流路の全てが、何れも他の供給流路の少なくとも一つと前後方向に重複してもよい。接続部５００に設けられた複数の供給流路の一部が他の供給流路の少なくとも一つと前後方向に重複する一方、複数の供給流路の残りが他の供給流路と前後方向に重複しなくてもよい。接続部５００に設けられた複数の供給流路の全てが、何れも他の供給流路と前後方向に重複しなくてもよい。
【０１３７】
上記実施形態では、四つの供給流路５１０，５２０，５３０，５４０の各容量が等しいが、これに限定されない。製造者は、例えば各供給流路の流路長及び流路断面積等を変更することで、各供給流路の容積を変更できる。供給流路５１０，５２０，５３０，５４０は、各々の流入口５１１，５２１，５３１，５４１が形成方向の上流側にあるほど、容積が小さくてもよい。この場合、検査チップ２は各供給流路５１０，５２０，５３０，５４０を介して、少ない液量から徐々に多い液量へ変化するように、洗浄液９３を複数回供給できる。供給流路５１０，５２０，５３０，５４０は、各々の流入口５１１，５２１，５３１，５４１が形成方向の上流側にあるほど、容積が大きくてもよい。この場合、検査チップ２は各供給流路５１０，５２０，５３０，５４０を介して、多い液量から徐々に少ない液量に変化するように、洗浄液９３を複数回供給できる。
【０１３８】
基質溶液９２が呈色反応する基質溶液である場合、反応停止液９１は検査チップ２に配置されなくてもよい。この場合、検査チップ２は反応停止液注入部３１０を備えなくてもよい。検査液体９５は酵素標識抗体を含んでもよい。この場合、検査チップ２は標識抗体液注入部３７０を備えなくてもよい。抗原抗体反応のための抗体は、検査チップ２自体に固相化されてもよい。例えば抗原抗体反応のための抗体は、ビーズ保持部６００に直接固相化されてもよい。この場合、検査チップ２は複数の磁性ビーズ９６及び磁石６９０を備えなくてもよい。
【０１３９】
検査チップ２内の液体（例えば、洗浄液９３）を移動させるための外力は、検査装置１によって付与される遠心力Ｘに限定されず、例えば人間が手動で付与する振動等でもよい。検査チップ２によって多段階で供給される液体は、洗浄液９３に限定されない。検査チップ２は、例えば他の液体を希釈するための液体、又は他の液体に混合するための液体を、上記実施形態の洗浄液９３と同様に多段階で供給してもよい。
【符号の説明】
【０１４０】
１    検査装置
２    検査チップ
３    検査システム
１９    板材
９３    洗浄液
９６    磁性ビーズ
１０１    ＣＰＵ
２０３    第一面
２０４    第二面
３５０    洗浄液注入部
４００    供給部
４１０    液受部
４１４    流入面
４２０    供給部
５１０，５２０，５３０，５４０    供給流路
５１１，５２１，５３１，５４１    流入口
５１２，５２２，５３２，５４２    流出口
６００    ビーズ保持部
【図１】
2017032382.tif 000003
【図２】
2017032382.tif 000004
【図３】
2017032382.tif 000005
【図４】
2017032382.tif 000006
【図５】
2017032382.tif 000007
【図６】
2017032382.tif 000008
【図７】
2017032382.tif 000009
【図８】
2017032382.tif 000010
【図９】
2017032382.tif 000011
【図１０】
2017032382.tif 000012
【図１１】
2017032382.tif 000013
【図１２】
2017032382.tif 000014
【図１３】
2017032382.tif 000015
【図１４】
2017032382.tif 000016
【図１５】
2017032382.tif 000017